(57)【特許請求の範囲】
【請求項１】
写真撮影や映画の分野でのシャドウの調節のための反射装置（１０）であって、その反射装置の中心軸（１８）の領域、好ましくは軸上に配置され第１の反射器（１１）と、前記第１の反射器（１１）の内側に配置される第２の反射器（１４）を含み、さらに前記中心軸（１８）の近くで一方を他方の後ろにして配置される２つの照明手段（１３、２０）と、少なくとも１つの照明手段（１３、２０）を受けるための支持体要素（１２）を含む反射装置において、前記支持体要素（１２）が前記照明手段（１３、２０）のためのフォーカス・ユニット（２２）として構成され、そのフォーカス・ユニット（２２）が前記反射器（１１、１４）の中心軸（１８）の長手方向において前記外側反射器（１１）に対して軸方向にスライド可能であり、前記第２の反射器（１４）が前記フォーカス・ユニット（２２）に前記照明手段（１３）の領域に配置されることを特徴とする反射装置。
【請求項２】
前記第２の反射器（１４）が、前記フォーカス・ユニット（２２）上で前記中心軸（１８）の長手方向において軸方向にスライド可能であることを特徴とする請求項１に記載の反射装置。
【請求項３】
前記照明手段（１３、２０）が前記フォーカス・ユニット（２２）とともにユニットとして、前記中心軸（１８）の長手方向において軸方向にスライド可能であることを特徴とする請求項１または２に記載の反射装置。
【請求項４】
前記第１の照明手段（１３）が前記フォーカス・ユニット（２２）の開放端部（１５）に配置され、前記第２の照明手段（２０）がその後ろに位置決めされて配置されることを特徴とする請求項１から３のいずれかに記載の反射装置。
【請求項５】
前記照明手段（１３、２０）が前記中心軸（１８）からずらして設けられ、および互いに角度を付けて配置されるかのいずれか又は双方であることを特徴とする請求項１から３のいずれかに記載の反射装置。
【請求項６】
各々の照明手段（１３、２０）が別々に制御可能であり、それにより、光度または強度が個別に調節可能であることを特徴とする請求項１から５のいずれかに記載の反射装置。
【請求項７】
各々の照明手段（１３、２０）が別々のエネルギー源（１７、２１）に接続されることを特徴とする請求項１から６のいずれかに記載の反射装置。
【請求項８】
少なくとも一方の照明手段（１３、２０）の領域内にフィルタ要素が配置されることを特徴とする請求項１から７のいずれかに記載の反射装置。
【請求項９】
各々の照明手段（１３、２０）がフィルタ要素（２４、２８）を設けることを特徴とする請求項１から８のいずれかに記載の反射装置。
【請求項１０】
前記もしくは各々のフィルタ要素（２４、２８）が交換可能なフィルタ（２７）として設計されることを特徴とする請求項８または９に記載の反射装置。
【請求項１１】
前記反射器（１１、１４）が前記中心軸（１８）からずらして設けられ、および互いに角度を付けて配置されるかのいずれか又は双方であることを特徴とする請求項１から１０のいずれかに記載の反射装置。
【発明の詳細な説明】
【技術分野】
【０００１】
本発明は写真撮影や映画の分野でのシャドウの調節のための反射装置に関し、この反射装置は第１の反射器と、第１の反射器の内側に配置される第２の反射器とを含み、２つの反射器は反射装置の中心軸の領域、好ましくは軸上に配置され、さらに中心軸の近くで一方を他方の後ろにして配置される２つの照明手段と、少なくとも１つの照明手段を受けるための支持体要素を含む。
【背景技術】
【０００２】
そのような反射装置またはヘッドランプ配列はドイツ特許１９７４９１８１号に見ることができる。しかしながらこの配列は下向きビームと上向きビームを切り換える役目を果たす。他の分野では、この種の知られている反射装置は、いわば特に写真撮影または映画の分野でのシャドウの調節のために使用される。この反射装置の中心軸の領域に、少なくとも１つの照明手段をも支持する支持体要素が配置されている。照明される対象物は照明手段と反射器によって照射される。その方法では、反射器によって反射された光線を含む照明手段の光照射は対象物にシャドウを生成させることができる。
【０００３】
しかしながら、可能な限り変化させて対象物を再生できることが必要であることは写真撮影では明確である。さらに、コントラストの量は極めて大きな量、すなわちシャドウなしからディープシャドウまで正確に調節可能であるべきである。これは、例えばディープシャドウ、すなわちハードシャドウが、それらが透明になる程度にまで明るくされ、したがって極めて暗い領域が微妙に調節可能であることを意味する。しかしながら、従来の反射装置の使用では、各々のケースで反射器特有のシャドウを形成するか、またはシャドウをわずかに変化させることができるだけである。言い換えると、反射器ユニットが本質的にシャドウの特徴を決定する。それにより、各々の特徴に対して別々の反射装置を使用しなければならない。シャドウを変えるため、すなわち暗くし、明るくし、光を分散させるなどのために、普通は追加的な反射器、輝度増強器、ディフューザなどが使用される。余分な反射器、輝度増強器、ディフューザ、または他の装置の設置に起因する余計な出費に加えて、横方向の光が反射器によって作られるので追加的なシャドウが生じる。したがって、望ましい写真品質を得るためにかなりの構成が準備されるべきであり、それらはいくつかの反射器、輝度増強器、ディフューザなどで構成される。
【０００４】
ドイツ特許第３８０９３３３号から、補助の反射器が主反射器の内側に配置される写真ランプが知られている。互いに隣り合って配置されるいくつかのランプを受けるために支持体が設けられる。しかしこのランプは極めて限られた範囲でシャドウを調節することができるだけである。
【発明の開示】
【発明が解決しようとする課題】
【０００５】
したがって、シャドウの個別調節、特にその特徴とコントラストの調節を保証する反射装置を提供することが本発明の目的である。
【課題を解決するための手段】
【０００６】
この目的は、支持体要素が照明手段のためのフォーカス・ユニットとして構成され、そのフォォーカス・ユニットを反射器の中心軸の長手方向で外側反射器に対して軸方向にスライド可能となるようにし、第２の反射器をフォーカス・ユニットに照明手段の領域で配置する、前述の種類の反射装置によって達成される。この配列によって、ハードシャドウを作る直接光線とシャドウを明るくする間接の反射光線の割合を変えることができることによって、照明の特徴を変えることが可能である。一方では外側のより大きな反射器に対する、他方で照明手段に対する、追加の反射器の位置に応じて、異なるコントラストを得るかまたは調節することが可能である。追加的な第２の反射器は、外側のより大きな反射器への入射を阻止されるように光線の一部を遮蔽する。結果として反射光の割合が削減される。一方、外側の反射器によって多くの光線が反射されるようにするにつれてシャドウを明るくする効果が大きくなる。同じ中心軸の領域、好ましくは軸上への２つの反射器の配列に起因して、同心の増光が達成され、一様な照明特性が作り出される。２つの照明手段の配列によって、一方の照明手段がシャドウを明るくするようないわゆる「ソフトな」光を作り、他方の照明手段がハードシャドウを形成するようないわゆる「ハードな」光を作ることが可能であるので、シャドウのコントラストの多様な調節が保証される。２つの照明手段と２つの反射器の組み合わせによって、コントラストの帯域幅全体が調節可能である。すなわち単独にハードシャドウと高いコントラストだけを備えた光と単独にソフトなシャドウと低いコントラストだけを備えた光が得られる。
【０００７】
追加的な第２の反射器を支持体要素またはフォーカス・ユニットの中心軸の長手方向でスライド可能とすることが望ましい。それにより、直接と間接の放射の割合や、それゆえにハードとソフトなシャドウもしくは光の割合が個別に調節可能となる。
【０００８】
本発明による反射器の組み合わせの好ましい展開では、それぞれの照明手段の光度または強度を介して光の特徴が追加的に調節可能となるように各々の照明手段が別々に制御可能である。その結果、単一の反射器ユニットもしくは配列を備えた望ましい照明に関して同等の優れた可変性を提供することができる。
【０００９】
少なくとも１つの照明手段の領域にフィルタ要素を配置することが好ましい。フィルタ要素によって、各々のフィルタ要素によって、またはフィルタ要素の組み合わせによって、特に無限に変化する色彩のシェーディングに関してさらなる調節を行うことができる。いくつかの異なるカラーフィルタによれば、本発明による反射装置の単純な予備的な調節によって、創造的なかつ所望の特徴を備えた写真を得ることができるように、どのような所望の色合いをもミックスさせることができる。仕上げ処理を完全に省略することが可能である。
【００１０】
本発明のさらなる好ましい実施形態は従属請求項および説明から明らかになるであろう。特に好ましい実施形態は添付の図面を用いてさらに詳細に説明される。
【発明を実施するための最良の形態】
【００１１】
以下で説明される反射装置１０は、特に写真撮影や映画での照明目的のために使用される。
【００１２】
図１は、本質的に第１の反射器１１、支持体要素１２、照明手段１３、第２の反射器１４を備えた反射装置を示している。照明手段１３は、好ましくは半殻形状の反射器１１の開口部に面している円筒状の支持体要素１２の開放端部１５に配置される。照明手段１３とは反対側の支持体要素１２の開放端部１６に、照明手段１３を動作させるための主、および／または電池式のエネルギー源１７が配置されている。エネルギー源１７は光線２５、２６の光度または強度を調節できるように制御可能および／または調節可能である。
【００１３】
図１に示された実施形態では、支持体要素１２の領域内で大型反射器１１の内側に小型反射器１４が配置されている。２つの反射器１１、１４は支持体要素１２の同じ中心軸１８の領域、好ましくは軸上に配置されている。このケースでは２つの反射器１１、１４の開口部は同じ方向を向いている。支持体要素１２は照明手段１３のためのフォーカス・ユニット２２を形成するように反射器１１にスライド可能に配置される。反射器１４は照明手段１３の領域でフォーカス・ユニット２２に配置され、反射器１４は照明手段１３または照明手段１３からの光線２５、２６を少なくとも部分的に覆っている。これは、照明手段１３の光線２５、２６が反射器１１の内側１９へ入射するのを少なくとも部分的に阻止していることを意味する。言い換えると、反射器１４は光線２５、２６を分割して、光線のうちのいくらか、すなわち光線２５を反射器１１に入射させることで低いコントラストを伴う「ソフトな」光すなわち「ソフトな」シャドウを作る効果をになっている。他のいくらかの光線、すなわち光線２６は反射器１４自体によって反射されることで高いコントラストを伴う「ハードな」光すなわち「ハードな」シャドウを作る。
【００１４】
反射器１４を最も変化させた異なる位置に配置することが可能であり、これは光線２５が外側反射器１１上に横方向に入射しないように照明手段１３が完全に反射器１４によって取り囲まれる位置から、照明手段１３の光線２５すべてが妨害されることなく反射器１１に向かうことが可能となる位置までである。フォーカス・ユニット２２の、その長手方向における軸方向、すなわち中心軸１８に平行な変位により、反射器１１による反射光線２５と反射器１４による光線２６の割合を変えることができる。反射器１１の内側で反射器１４が深く配置されるにつれて、すなわちより後方にフォーカス・ユニット２２が動かされると、反射器１１で反射される光の割合が大きくなり、その結果、照明手段１３によって放射される光はソフトな照明の印象を与える。他方で、反射器１４が反射器１１への光線２５の入射を完全に阻止し、それにより、反射器１４によって反射される光線２６だけが効力を生じるように最大限までフォーカス・ユニット２２が外へ動かされれば、ハードな暗いシャドウが対象物に作られる。
【００１５】
照明手段１３の領域内の反射器１４の好ましい配列は図３に示されている。反射器１４は照明手段１３をほぼ１／４取り囲むようにフォーカス・ユニット２２の開放端部１５に配置されている。言い換えると照明手段１３の約３／４は反射器１４から突き出し、それにより、光線の大きな割合が光線２５として外側反射器１１に入射することになる。しかしながら所望の特徴に応じて、照明手段１３に対する反射器１４のどのような他の位置も可能である。
【００１６】
反射器１４の位置を変えることが可能となるように、支持体要素１２すなわちフォーカス・ユニット２２の上のスリーブ２３などに反射器１４自体をスライド可能に配置することができる。一方でフォーカス・ユニット２２の変位と他方で反射器１４の変位を重ね合わせることによって、制限が無く無限のコントラストの可変調節の可能性が保証される。すなわち、反射装置１０の特徴を望み通りに調節することが可能である。
【００１７】
図２に示された実施形態では、構造や機能で本質的に図１の反射装置に対応し、それにより、同じ部品に関して同じ参照番号が選択された反射装置が示されている。しかし、この反射装置はさらに追加の照明手段２０を有する。２つの照明手段１３、２０は支持体要素１２またはフォーカス・ユニット２２の領域に一方を他方の後ろに配置され、開放端部１５から始まる照明手段２０が照明手段１３の後ろに配置される。理想的には、照明手段１３、２０は一方を他方の後ろに位置合わせして配置される。反射器１４は前方の照明手段１３の領域に配置される。図４に見られるように、好ましい配列では反射器１４が完全に照明手段１３を取り囲む。これは、照明手段１３が完全に反射器１４の内側に配置され、その先に突き出さないことを意味する。しかしながら、一方で反射器１４、他方でフォーカス・ユニット２２の調節の可能性に起因して、どのような所望の配列をも達成することが可能である。反射器１４によって遮蔽された前方の照明手段１３は主にハードシャドウを作るために役立ち、その一方で照明手段２０は主にソフトなシャドウを作るために役立つ。
【００１８】
２つの照明手段１３、２０は中心軸１８の近辺に配置され、各々が別々のエネルギー源１７、２１に接続される。２つの照明手段１３、２０は共通の中心軸１８上に配置されることが好ましい。場合によっては、２つの照明手段１３、２０が共通のエネルギー源に接続されて、制御が別々になされるようにしてもよい。別々の制御、すなわち同様にオンとオフの可能性に起因して、最も変化させた光の条件を調節することが可能である。図示されていない一実施形態では、中心軸１８は平行に走るが互いから距離を置くか、あるいは互いに角度を有するように照明手段１３、２０が互いからずらして設けられてもよい。反射器１１、１４もまた、図示された実施形態の代替選択肢として互いからずらして設けられ、かつ／または傾けられることが可能である。
【００１９】
さらなる実施形態では、少なくとも照明手段１３、２０の一方の領域内にフィルタ要素が設けられる。支持体要素１２またはフォーカス・ユニット２２の開放端部１５で、照明手段１３に対して、フィルタ２７用の受け部を備えた通常のプラグイン式フィルタ２４が設けられる。プラグイン式フィルタ２４は反射器１４の領域内に取り外し可能に装着される。光線２５、２６のうちの最も異なるように色彩組成を選択できるように単一または多数のフィルタ２７を受け部に設けることができる。場合によっては、または追加的に、照明手段２０の光線２５が色彩を変えることができるように照明手段２０に普通の円筒フィルタ２８を設けるようにしてもよい。
さらなる実施形態では、少なくとも照明手段１３、２０の一方の領域内にフィルタ要素が設けられる。支持体要素１２またはフォーカス・ユニット２２の開放端部１５の照明手段１３に対して、フィルタ２７用の受け部を備えた通常のプラグイン式フィルタ２４が設けられる。プラグイン式フィルタ２４は反射器１４の領域内に取り外し可能に装着される。光線２５、２６のうちの最も異なる色彩組成を選択することが可能となるように単一または多数のフィルタ２７が導入されることが可能である。場合によっては、または追加的に、照明手段２０の光線２５が色彩を変えることができるように照明手段２０に普通の円筒フィルタ２８を設けるようにしても良い。
【図面の簡単な説明】
【００２０】
【図１】背景を伴って照明された対象物が具体的例示のために示された反射装置を示す側面図である。
【図２】背景を伴って照明された対象物が具体的例示のために示された反射装置のさらなる実施形態を示す側面図である。
【図３】図１にあるような反射装置の詳細を示す側面図である。
【図４】図２にあるような反射装置の詳細を示す側面図である。
【図１】
0004275072.tif 000002
【図２】
0004275072.tif 000003
【図３】
0004275072.tif 000004
【図４】
0004275072.tif 000005